(57)【要約】【課題】幅の異なる複数種類の原稿を、原稿ガイドをセットし直すことなく読み取り可能としたスキャナ装置の提供することを目的とする。【解決手段】スキャナ装置本体２に主給紙トレイ３を備え、小径幅の原稿専用の補助給紙トレイ６を主給紙トレイ３の上方のスキャナ装置本体２に脱着可能に備える。これにより、スキャナ装置本体２に装備された主給紙トレイ３では読み取りが困難な名刺やカード等の小径幅の原稿を読み取る場合、通常の原稿はスキャナ装置本体２に装備された主給紙トレイ３に載置し、小径幅の原稿は、名刺やカード等ごとにそれらの幅に合わせて形成された専用の補助給紙トレイ６に載置することにより、主給紙トレイ３の幅をセットし直さずに小径幅の原稿を読み取ることができる。【選択図】図１
2007251479.tif 000002
【特許請求の範囲】
【請求項１】
原稿を保持する原稿保持部と、
前記原稿保持部の両側に設けられスキャナ装置本体に取り付ける際の安定を保持する腕部と、
前記腕部から給紙方向に延び、前記原稿の幅方向の動きを規制して前記原稿の搬送をガイドするガイド部と、
前記スキャナ装置本体に係合可能に設けられた爪部とを備えたことを特徴とする補助給紙トレイ。
【請求項２】
請求項１記載の補助給紙トレイを装着可能なスキャナ装置。
【請求項３】
請求項１記載の補助給紙トレイの爪部を係り留めする爪保持部を備えたことを特徴とするスキャナ装置。
【請求項４】
前記爪保持部は、前記スキャナ装置本体に装備された主給紙トレイの上方に設けられていることを特徴とする請求項３記載のスキャナ装置。
【請求項５】
前記爪保持部は、前記補助トレイの前記爪部を斜め上方に脱着可能に形成されていることを特徴とする請求項３記載のスキャナ装置。
【発明の詳細な説明】
【技術分野】
【０００１】
本発明は、原稿から画像を読み取るスキャナ装置に付加装着可能な補助給紙トレイ及びそれを装着可能なスキャナ装置に関する。
【背景技術】
【０００２】
原稿から画像を読み取るスキャナ装置の給紙トレイには、幅の異なる原稿でも読み込めるように、原稿幅に合わせて移動可能な原稿ガイドが具備されている（例えば、特許文献１参照。）。一般的に、このような原稿ガイドが具備された給紙トレイには、複数枚の原稿がセットされ、原稿が連続的にスキャナ装置内部の読取部（図示せず）に送り込まれ、読取部により読み取られる。
【特許文献１】特開２００６−３６５０５号公報
【発明の開示】
【発明が解決しようとする課題】
【０００３】
ところが、原稿幅の異なる複数枚の原稿を給紙トレイにセットした場合は、幅の狭い原稿が原稿ガイドによってガイドされず、斜めに給紙されて読み取られることがある。そのため、原稿幅に合わせて原稿ガイドをセットし直して、複数回の読み込み作業を行う必要があった。
【０００４】
そこで、本発明は、幅の異なる複数種類の原稿を、原稿ガイドをセットし直すことなく読み取り可能としたスキャナ装置の補助給紙トレイ及びそれを装着可能なスキャナ装置を提供することを目的とする。
【課題を解決するための手段】
【０００５】
上記課題を解決するため、本願発明に係る補助給紙トレイは、原稿を保持する原稿保持部と、前記原稿保持部の両側に設けられスキャナ装置本体に取り付ける際の安定を保持する腕部と、前記腕部から給紙方向に延び、前記原稿の幅方向の動きを規制して前記原稿の搬送をガイドするガイド部と、前記スキャナ装置本体に係合可能に設けられた爪部とを備えたことを特徴とする。
【発明の効果】
【０００６】
本発明によれば、スキャナ装置に装備された主給紙トレイでは読み取りが困難な名刺やカード等の小径幅の原稿を読み取る場合、通常の原稿はスキャナ装置に装備された主給紙トレイに載置し、前記小径幅の原稿は、名刺やカード等ごとにそれらの幅に合わせて形成された専用の補助給紙トレイに載置することにより、主給紙トレイの幅をセットし直さずに前記小径幅の原稿を読み取ることが可能となり、操作性に優れたスキャナ装置を実現できる。
【発明を実施するための最良の形態】
【０００７】
本発明の請求項１の発明は、原稿を保持する原稿保持部と、前記原稿保持部の両側に設けられスキャナ装置本体に取り付ける際の安定を保持する腕部と、前記腕部から給紙方向に延び、前記原稿の幅方向の動きを規制して前記原稿の搬送をガイドするガイド部と、前記スキャナ装置本体に係合可能に設けられた爪部とを備えたことを特徴とする補助給紙トレイである。
【０００８】
前記補助給紙トレイは、名刺やカード等の小径幅の原稿媒体に合わせて幅が形成されているため、本願発明に係るスキャナ装置に装着することにより、これらの原稿媒体を他の
普通幅、大径幅の原稿媒体とは独立して読み取ることが可能となり、小径幅の原稿媒体の給紙におけるスキュー等を防ぐことができる。
【０００９】
また、ガイド部が腕部から給紙方向に延びた構成であるので、主給紙トレイから給紙用のローラ間に送出される原稿の送出経路に対し、補助給紙トレイは斜め上方から給紙用のローラ間へ原稿を送出することができ、主給紙トレイにセットされた原稿がすべて給紙用のローラ間へ送出された後、補助給紙トレイから給紙用のローラ間に送出される原稿の送出経路へ給紙トレイの原稿が斜め上方から送出され、主給紙トレイ及び補助給紙トレイにそれぞれセットされた原稿を連続的に読み取ることが可能となる。
【００１０】
また、スキャナ装置の構成によっては、補助給紙トレイから給紙用のローラ間に送出される原稿の送出経路へ補助給紙トレイの原稿が斜め上方から送出された後、主給紙トレイにセットされた原稿がすべて給紙用のローラ間へ送出され、補助給紙トレイ及び主給紙トレイにそれぞれセットされた原稿を連続的に読み取ることが可能となる。
【００１１】
本発明の請求項２の発明は、請求項１記載の補助給紙トレイを装着可能なスキャナ装置である。
【００１２】
また、本発明の請求項３の発明は、前記請求項１の発明に係る補助給紙トレイの爪部を係り留めする爪保持部を備えたことを特徴とするスキャナ装置である。
【００１３】
これらの発明により、幅の異なる複数種類の原稿を読み取る場合に、名刺やカード等の小径幅の原稿媒体をその原稿の幅に合わせた専用の補助給紙トレイ上にセットするとともに、その他の普通幅、大径幅の原稿媒体を原稿の幅に合わせて移動可能な原稿ガイドを備えた主給紙トレイにセットすることで、小径幅の原稿を専用の補助給紙トレイから、その他の原稿を主給紙トレイからそれぞれ給紙することができ、原稿ガイドをセットし直すことなく一回の読み込み操作で幅の異なる複数種類の原稿を読み取ることが可能な操作性に優れたスキャナ装置を実現できる。
【００１４】
本発明の請求項４の発明は、爪保持部が、前記スキャナ装置本体に装備された主給紙トレイの上方に設けられていることを特徴とする請求項３記載のスキャナ装置である。
【００１５】
この発明により、主給紙トレイに原稿がセットされた状態のままで補助給紙トレイを脱着することができるとともに、主給紙トレイに原稿をセットする際に補助給紙トレイを取り外すことで、主給紙トレイへの原稿セットを容易にすることが可能となる。
【００１６】
以下、本発明の実施の形態について、図面を参照して説明する。
【００１７】
図１は本発明の実施の形態におけるスキャナ装置に装備された主給紙トレイに補助給紙トレイを取り付けた斜視図、図２は図１の補助給紙トレイを取り外した状態を示す斜視図、図３は給紙トレイからローラへの送出経路の縦断面図、図４は本発明に係るスキャナ装置の補助給紙トレイの斜視図、図５は本発明に係るスキャナ装置の補助給紙トレイの平面図、図６は本発明に係るスキャナ装置の補助給紙トレイの正面図、図７は本発明に係るスキャナ装置の補助給紙トレイの底面図、図８は本発明に係るスキャナ装置の補助給紙トレイの背面図、図９は図７の本発明に係るスキャナ装置の補助給紙トレイのＡ−Ａ線断面図である。
【００１８】
図１に示すように、本発明の実施の形態におけるスキャナ装置１は、スキャナ装置本体２に原稿を給紙する主給紙トレイ３を備える。主給紙トレイ３は、原稿９ａ（図３参照。）の幅に合わせて幅方向に移動可能な原稿ガイド４が設けられている。また、この主給紙
トレイ３の上方には、所定の原稿（本実施の形態においては名刺サイズの原稿９ｂ（図３参照。））の幅に合わせた専用の給紙トレイ（以下、「補助給紙トレイ」と称す。）６を主給紙トレイ３の上方のスキャナ装置本体２に脱着可能に備える。
【００１９】
補助給紙トレイ６の構成を図４〜図９に示す。原稿保持部１０は所定の原稿９ｂを保持する。腕部１１は原稿保持部１０の両側に設けられており、スキャナ装置本体２に取り付ける際の安定に寄与している。ガイド部１２は腕部１１から給紙方向に舌状に延びた形状を有し、原稿９ｂの幅方向の動きを規制する。爪部１３は腕部１１において補助給紙トレイ６のスキャナ装置本体２側に設けられている。補助給紙トレイ６は、爪部１３を図２に示す主給紙トレイ３上方の爪保持部７に係合（係り留め）させることにより主給紙トレイ３の上方に固定される構成である。
【００２０】
補助給紙トレイ６は、図３に示すように、主給紙トレイ３から給紙用のローラ８ａ，８ｂ間に送出される原稿９ａの送出経路に対し、斜め上方からローラ８ａ，８ｂ間へ原稿９ｂを送出するものである。なお、補助給紙トレイ６の原稿保持部１０の上面には、原稿９ｂとの接触面積を減らして原稿９ｂをスムーズに給紙させるための給紙方向のリブ１４を備える。
【００２１】
なお、上述した以外の部分の構成については、従来公知のスキャナ装置と同様であり、ここでの説明を省略する。
【００２２】
上記構成のスキャナ装置１では、幅の異なる複数種類の原稿９ａ，９ｂを読み取る場合に、所定の原稿９ｂをその原稿９ｂの幅に合わせた専用の補助給紙トレイ６上にセットするとともに、他の原稿９ａを原稿９ａの幅に合わせて移動可能な原稿ガイド４を備えた主給紙トレイ３にセットすることで、所定の原稿９ｂが専用の補助給紙トレイ６から、他の原稿９ａが主給紙トレイ３からそれぞれ送出される。
【００２３】
したがって、本実施の形態におけるスキャナ装置１では、原稿ガイド４をセットし直すことなく一回の読み取り操作で幅の異なる複数種類の原稿９ａ，９ｂを読み取ることが可能であり、操作性に優れている。また、従来方式では、一回の読み取り操作で読み取ろうとした場合に、幅の異なる複数種類の原稿を混在させて読み取らざるを得ないため、幅の広い原稿に合わせて原稿ガイド４をセットしなければならず、これに起因して幅の狭い原稿が斜めに読み込まれるという問題があったが、本実施の形態におけるスキャナ装置１では、幅の狭い原稿９ｂを専用の補助給紙トレイ６にセットし、幅の広い原稿９ａはその幅の広い原稿９ａに合わせて原稿ガイド４をセットした主原稿トレイ３にセットすればよく、幅の狭い原稿９ｂはガイド部１２にガイドされて真っ直ぐに給紙されるため、斜めに読み取られるという問題が起こらない。
【００２４】
また、本実施の形態におけるスキャナ装置１では、補助給紙トレイ６の爪部１３が斜め下方向に向けて形成されており、スキャナ装置本体２の爪保持部７が斜め上方向に開放されて形成されているので、主給紙トレイ３に原稿９ａがセットされた状態のままで補助給紙トレイ６をスキャナ装置本体２に脱着することができるとともに、主給紙トレイ３に原稿９ａをセットする際に補助給紙トレイ６をスキャナ装置本体２から取り外すことで、主給紙トレイ３への原稿セットを容易にすることが可能である。
【００２５】
なお、この補助給紙トレイ６は、スキャナ装置本体２に一体に固定されたものとしたり、主給紙トレイ３の上方にヒンジ機構やスライド機構等の手段により可動に設けられたものとしたりすることが可能である。補助給紙トレイ６を可動にした場合、主給紙トレイ３に原稿９ａをセットする際にこの給紙トレイ６を動かすことにより、主給紙トレイ３への原稿セットを容易にすることが可能である。
【００２６】
また、本実施の形態におけるスキャナ装置１では、補助給紙トレイ６が、主給紙トレイ３から給紙用のローラ８ａ，８ｂ間に送出される原稿９ａの送出経路に対し、斜め上方から給紙用のローラ８ａ，８ｂ間へ原稿９ｂを送出するものであるため、主給紙トレイ３にセットされた原稿９ａがすべて給紙用のローラ８ａ，８ｂ間へ送出された後、この送出経路へ補助給紙トレイ６の原稿９ｂが斜め上方から送出される。
【００２７】
または、補助給紙トレイ６の原稿９ｂが先に斜め上方から給紙経路へ送出された後、続いて主給紙トレイ３にセットされた原稿９ａが給紙用のローラ８ａ，８ｂ間へ送出される構成も可能である。
【００２８】
したがって、主給紙トレイ３および補助給紙トレイ６にそれぞれセットされた原稿９ａ，９ｂを連続的に送出して読み取ることが可能である。
【００２９】
尚、本実施の形態で使用した「原稿」には、通常の用紙の他、葉書、封筒、伝票、連票、クレジットカード、ＡＴＭカード等の樹脂カード、ＩＣカード、名刺、免許証等の証明書、ラミネートカードなど、あらゆる読み取り可能な媒体を含むものとする。
【産業上の利用可能性】
【００３０】
本発明は、給紙トレイから原稿を給紙して画像を読み取るスキャナ装置として有用であり、特に、幅の異なる複数種類の原稿を、原稿ガイドをセットし直すことなく読み取り可能としたスキャナ装置として好適である。
【図面の簡単な説明】
【００３１】
【図１】本発明の実施の形態におけるスキャナ装置に装備された主給紙トレイに補助給紙トレイを取り付けた斜視図
【図２】図１の補助給紙トレイを取り外した状態を示す斜視図
【図３】給紙トレイからローラへの送出経路の縦断面図
【図４】本発明に係るスキャナ装置の補助給紙トレイの斜視図
【図５】本発明に係るスキャナ装置の補助給紙トレイの平面図
【図６】本発明に係るスキャナ装置の補助給紙トレイの正面図
【図７】本発明に係るスキャナ装置の補助給紙トレイの底面図
【図８】本発明に係るスキャナ装置の補助給紙トレイの背面図
【図９】図７の本発明に係るスキャナ装置の補助給紙トレイのＡ−Ａ線断面図
【符号の説明】
【００３２】
１    スキャナ装置
２    スキャナ装置本体
３    主給紙トレイ
４    原稿ガイド
６    補助給紙トレイ
７    爪保持部
８ａ，８ｂ    ローラ
９ａ，９ｂ    原稿
１０    原稿保持部
１１    腕部
１２    ガイド部
１３    爪部
１４    リブ
【図１】
2007251479.tif 000003
【図２】
2007251479.tif 000004
【図３】
2007251479.tif 000005
【図４】
2007251479.tif 000006
【図５】
2007251479.tif 000007
【図６】
2007251479.tif 000008
【図７】
2007251479.tif 000009
【図８】
2007251479.tif 000010
【図９】
2007251479.tif 000011